(57)【要約】【課題】電磁波を使用しない媒体振動を利用して、比較的信頼性の高いデータの伝達を行う。【解決手段】情報発信装置２００からその周辺に位置する受信装置１００ａ，１００ｂに対して情報を発信する際、クロックとして可聴周波数より高い第１の周波数の媒体振動信号を間欠的に発生させるとともに、そのクロックに従い、送信対象のデータに応じて第１の周波数と異なる、可聴周波数より高い第２の周波数の媒体振動信号を間欠的に発生させる。受信装置１００ａ，１００ｂは、クロックとして、可聴周波数より高い第１の周波数の媒体振動信号を検出するとともに、データとして、前記第１の周波数と異なる、可聴周波数より高い第２の周波数の媒体振動信号を検出し、第１の周波数の媒体振動信号の検出結果および第２の周波数の媒体振動信号の検出結果に基づいて、データを再生する。【選択図】図１
2010166129.tif 000002
【特許請求の範囲】
【請求項１】
情報発信装置からその周辺に位置する受信装置に対して情報を発信する情報発信方法であって、
クロックとして可聴周波数より高い第１の周波数の媒体振動信号を間欠的に発生させるステップと、
前記クロックに従い、送信対象のデータに応じて前記第１の周波数と異なる、可聴周波数より高い第２の周波数の媒体振動信号を間欠的に発生させるステップと
を備えた情報発信方法。
【請求項２】
前記第１および第２の周波数の媒体振動信号の伝達媒体が異なる場合、両伝達媒体の伝搬速度の差に基づいて、伝搬速度の速い方の媒体振動信号の発生タイミングを所定時間だけ遅延させるステップをさらに備えた請求項１に記載の情報発信方法。
【請求項３】
前記第１の周波数の媒体振動信号の伝達媒体は空気であり、前記第２の周波数の媒体振動信号の伝達媒体は受信装置が接する構造物である請求項２に記載の情報発信方法。
【請求項４】
前記所定時間は、前記第１および第２の周波数の媒体振動信号の平均伝達距離および伝搬速度に基づいて決定される請求項２または３に記載の情報発信方法。
【請求項５】
クロックとして、可聴周波数より高い第１の周波数の媒体振動信号を発生する第１の信号発生手段と、
データとして、前記第１の周波数と異なる、可聴周波数より高い第２の周波数の媒体振動信号を発生する第２の信号発生手段と、
前記第１の周波数の媒体振動信号を間欠的に発生させるとともに、送信対象のデータに応じて前記クロックに従い間欠的に前記第２の周波数の媒体振動信号を発生させるよう、前記第１および第２の信号発生手段を制御する制御手段と
を備えた情報発信装置。
【請求項６】
前記制御手段は、前記第１および第２の周波数の媒体振動信号の伝達媒体が異なる場合、両伝達媒体の伝搬速度の差に基づいて、伝搬速度の速い方の媒体振動信号の発生タイミングを遅延させる請求項５に記載の情報発信装置。
【請求項７】
前記所定時間は、前記前記第１および第２の周波数の媒体振動信号の平均伝達距離および伝搬速度に基づいて決定される請求項６に記載の情報発信装置。
【請求項８】
情報発信装置から発信される情報を受信する受信装置であって、
クロックとして、可聴周波数より高い第１の周波数の媒体振動信号を検出する手段と、
データとして、前記第１の周波数と異なる、可聴周波数より高い第２の周波数の媒体振動信号を検出する手段と、
前記第１の周波数の媒体振動信号の検出結果および前記第２の周波数の媒体振動信号の検出結果に基づいて、データを再生する手段と
を備えた受信装置。
【請求項９】
前記第１の周波数の媒体振動信号の伝達媒体は空気であり、前記第２の周波数の媒体振動信号の伝達媒体は受信装置が接する構造物であり、
前記構造物に対する受信装置の接触の姿勢を検出する手段と、
前記データを再生する手段は、前記第１および第２の周波数の媒体振動信号の両方が検出できたとしても前記姿勢の如何によってデータの再生を抑止、または、再生されたデータの利用を抑止する手段と
をさらに備えた請求項８に記載の受信装置。
【請求項１０】
前記姿勢を検出する手段は加速度センサを含む請求項９に記載の受信装置。
【請求項１１】
前記構造物はその上に受信装置を載置することができる平面部を有し、
前記姿勢を検出する手段は明るさを検出する光センサを含み、この光センサが上記平面部に面して載置されているか否かにより姿勢を検出する請求項９に記載の受信装置。
【発明の詳細な説明】
【技術分野】
【０００１】
本発明は、情報発信装置からその周辺に位置する受信装置に対して情報を発信する情報発信方法、並びにその情報発信装置および受信装置に関する。
【背景技術】
【０００２】
近年、携帯電話端末は広く普及しているが、電車，バス等の公共交通機関、映画館，コンサートホール，会議室，病院などの公の施設、等においては、マナー上の観点および電磁波による影響防止の観点から、その使用が制限されている。
【０００３】
この使用の制限のために、ユーザ自身が手動操作により所定のマナーモードの設定を行うことができるが、その操作は煩雑であり、また、不確実である。そのため、該当するエリア内で自動的に端末の動作モードを切り替えて所定の機能の制限を行うための種々の技術が提案されている。
【０００４】
特に、電磁波による影響を回避するためには、信号の伝達媒体として超音波を使用できれば好適である。
【０００５】
特許文献１には、圧電素子を送受信素子に利用して超音波を媒介としてデータの通信を行うデータ通信装置が提案されている。
【０００６】
特許文献２には、移動体通信装置の通話等の使用抑制を確実に行うために、超音波を用いて動作モードを制御する技術を開示している。
【０００７】
特許文献３には、携帯通信端末の制御情報送信装置から超音波を用いて携帯通信端末の機能を制御する情報を送信することにより、携帯通信端末の各種機能の利用を禁止する場所と許可する場所の境界を明確に決定できる技術を開示している。
【先行技術文献】
【特許文献】
【０００８】
【特許文献１】特開平９−１８３７７号公報
【特許文献２】特開２００５−３４１４２０号公報
【特許文献３】特開２００７−６０５２１号公報
【発明の概要】
【発明が解決しようとする課題】
【０００９】
上記従来の超音波を用いるデータの通信は、いずれも、送信対象の情報を単一の超音波を用いて送信するものである。超音波は、通常２０ＫＨｚ以上で人間の可聴周波数より高い周波数の音波（弾性波）であるので、周囲の環境の状況、特にノイズの影響を受けやすく、信頼性の高い確実なデータの伝達を行うことが困難であるという問題がある。
【００１０】
本発明はこのような背景においてなされたものであり、電磁波を使用しない媒体振動信号を利用して、比較的信頼性の高いデータの伝達を行うことを企図している。
【課題を解決するための手段】
【００１１】
本発明による情報発信方法は、情報発信装置からその周辺に位置する受信装置に対して情報を発信する情報発信方法であって、クロックとして可聴周波数より高い第１の周波数の媒体振動信号を間欠的に発生させるステップと、前記クロックに従い、送信対象のデータに応じて前記第１の周波数と異なる、可聴周波数より高い第２の周波数の媒体振動信号を間欠的に発生させるステップとを備える。
【００１２】
このように、本発明では可聴周波数より高い第１および第２の周波数の媒体振動信号の組み合わせによりデータが発信される。ここに「媒体振動信号」とは電磁波を用いない、流体（特に空気）や固体（構造物）の振動を信号として利用するものである。
【００１３】
前記第１および第２の周波数の媒体振動信号の伝達媒体が異なる場合、両伝達媒体の伝搬速度の差に基づいて、伝搬速度の速い方の媒体振動信号の発生タイミングを所定時間だけ遅延させるステップをさらに備えることが好ましい。これにより、両信号の間の良好な同期が図られる。
【００１４】
本発明による情報発信装置は、クロックとして、可聴周波数より高い第１の周波数の媒体振動信号を発生する第１の信号発生手段と、データとして、前記第１の周波数と異なる、可聴周波数より高い第２の周波数の媒体振動信号を発生する第２の信号発生手段と、前記第１の周波数の媒体振動信号を間欠的に発生させるとともに、送信対象のデータに応じて前記クロックに従い間欠的に前記第２の周波数の媒体振動信号を発生させるよう、前記第１および第２の信号発生手段を制御する制御手段とを備えたものである。
【００１５】
本発明による受信装置は、情報発信装置から発信される情報を受信する受信装置であって、クロックとして、可聴周波数より高い第１の周波数の媒体振動信号を検出する手段と、データとして、前記第１の周波数と異なる、可聴周波数より高い第２の周波数の媒体振動信号を検出する手段と、前記第１の周波数の媒体振動信号の検出結果および前記第２の周波数の媒体振動信号の検出結果に基づいて、データを再生する手段とを備えたものである。
【００１６】
前記第１の周波数の媒体振動信号の伝達媒体は空気であり、前記第２の周波数の媒体振動信号の伝達媒体は受信装置が接する構造物である場合、前記構造物に対する受信装置の接触の姿勢を検出する手段と、前記データを再生する手段は、前記第１および第２の周波数の媒体振動信号の両方が検出できたとしても前記姿勢の如何によってデータの再生を抑止、または、再生されたデータの利用を抑止する手段とをさらに備えてもよい。これにより、受信装置の姿勢を変えるのみでユーザが当該抑止の要否を選択することが可能となる。
【発明の効果】
【００１７】
本発明によれば、信号の搬送波として電磁波を使用しない媒体振動信号を利用して、比較的信頼性の高いデータの伝達を行うことができる。
【００１８】
また、携帯電話端末の機能制限の他、所定のエリア内に位置する無線通信端末に対して所望の情報を提供できれば、その技術を種々の用途に利用することが期待できる。
【図面の簡単な説明】
【００１９】
【図１】本発明の実施の形態に係る情報発信方法を使用する情報発信装置と１以上の受信装置とを模式的に示した図である。
【図２】図１内に示した携帯電話端末の概略のハードウェア構成を示す図である。
【図３】本発明の実施の形態におけるデータ転送フォーマットの具体例を示す図である。
【図４】本発明の実施の形態において第１の伝達媒体を空気とし、第２の伝達媒体をテーブルとした場合の具体例を示す図である。
【図５】本発明の実施の形態におけるＤＴＤおよびＸＭＬデータの具体例を示す図である。
【発明を実施するための形態】
【００２０】
以下、本発明の好適な実施の形態について図面を参照しながら詳細に説明する。
【００２１】
図１は、本実施の形態に係る情報発信方法を使用する情報発信装置２００と、この情報発信装置２００の周辺の所定の範囲内に位置し、情報発信装置２００から発信される情報を受信する１以上の受信装置１００ａ，１００ｂとを模式的に示している。所定の範囲とは、超音波が有効に届く範囲であり、情報発信装置２００から例えば数メートルから十数メートルないし数十メートル程度の範囲である。情報発信装置２００は、周辺のエリア内に存在する携帯電話端末などの受信装置に対して、典型的には、同じ情報を周期的に発信して提示する。
【００２２】
本実施の形態における受信装置１００ａ，１００ｂ（総称して１００）は携帯電話端末（以下、携帯電話端末または単に端末という）により構成される。
【００２３】
情報発信装置２００は、制御部２０１、記憶部２０２、第１媒体振動信号発生部２０３、第２媒体振動信号発生部２０４を備えている。制御部２０１は、データ処理、制御を行う手段であり、ＣＰＵなどのプロセッサで構成することができる。記憶部２０２は、プログラムやデータを記憶する手段であり、ＲＯＭ，ＲＡＭ等のメモリ、ＨＤＤなどの外部記憶装置である。ＲＯＭには、フラッシュメモリのような再書き込み可能な不揮発性メモリを含みうる。第１媒体振動信号発生部２０３、第２媒体振動信号発生部２０４は、いずれも振動が伝わる伝達媒体に対して振動信号を発生する手段であり、本発明では可聴周波数より高い周波数の振動（超音波）を発生する例えば圧電素子などのデバイスを含む。
【００２４】
第１媒体振動信号発生部２０３および第２媒体振動信号発生部２０４は、協働して近距離通信手段を構成し、情報を構成するデータを発信するために周波数の異なる第１および第２の周波数の媒体振動を発生する。
【００２５】
本実施の形態における第１媒体振動信号発生部２０３および第２媒体振動信号発生部２０４が利用する伝達媒体としては、（１）いずれもが空気、（２）一方が空気で他方が空気以外の媒体、（３）いずれもが空気以外の媒体、の３形態がありうる。ここでの空気以外の媒体は、可聴周波数より高い周波数の振動を伝達することができる性質のものである。
【００２６】
以下では、形態（１）と（２）について説明する。形態（３）は形態（１）と同様であるので、説明を省略する。
【００２７】
図２に、受信装置としての携帯電話端末１００の概略のハードウェア構成を示す。
【００２８】
携帯電話端末１００は、バス１１２で相互に接続された、制御部１０１、通信部１０２、表示部１０４、操作部１０５、記憶部１０６、音声処理部１０７、この音声処理部１０７に接続されたスピーカ１０８、マイクロフォン１０９、媒体振動通信処理部１１０、この媒体振動通信処理部１１０に接続された媒体振動検出部１１１を備えている。
【００２９】
制御部１０１は、携帯電話端末１００の各部を制御する手段であり、ＣＰＵ等のプロセッサを含む。
【００３０】
通信部１０２は、アンテナ１０３を介して基地局との間で、通話およびデータ通信等のための無線通信を行う手段であり、ＲＦ部、変復調回路等を含む。
【００３１】
表示部１０４は、表示画面上に文字や画像等の情報を表示する手段であり、ＬＣＤ、有機ＥＬ等のディスプレイデバイスおよびその表示ドライバを含む。
【００３２】
操作部１０５は、ユーザによる指示やデータの入力操作を受け付ける手段であり、制御キー、テンキー等の各種のキーを有する。
【００３３】
記憶部１０６は、ＣＰＵが実行するＯＳや各種アプリケーション等のプログラムやデータ（電話帳データを含む）を記憶する手段であり、ＲＯＭ，ＲＡＭ等のメモリを含む。ＲＯＭには、フラッシュメモリのような再書き込み可能な不揮発性メモリを含みうる。
【００３４】
音声処理部１０７は、音声のエンコーダ、デコーダ、ＤＡ変換器、ＡＤ変換器等を含み、スピーカ１０８に対する音声出力およびマイクロフォン１０９からの音声入力を行う。
【００３５】
媒体振動検出部１１１は、可聴周波数より高い周波数の媒体振動を検出する手段である。媒体とは空気や固体である。固体は例えば構造物であり、所定の形を有する物体である。本実施の形態では所定の材質で形成され、その上に端末を接触させることができる物体であり、典型的には端末を載置することができるテーブルである。本実施の形態では、媒体振動検出部１１１は少なくとも２種類の異なる周波数の媒体振動を検出する機能を有する。
【００３６】
媒体振動通信処理部１１０は、媒体振動検出部１１１が検出した振動信号から第１および第２の所定の周波数の振動信号を抽出（フィルタリング）して、両周波数の媒体振動信号を検出し、その検出結果に基づいて、元の送信データを再生する処理を行う手段である。この処理の全部または一部を制御部１０１が実行するようにしてもよい。
【００３７】
なお、マイクロフォン１０９の動作周波数が超音波の周波数にまで及ぶ場合には、マイクロフォン１０９が媒体振動検出部１１１を兼ねることも可能である。
【００３８】
その他、図示しないが、携帯電話端末１００は、電源部、発光部、バイブレータ、等、通常の携帯電話端末が備えている機能部を備えている。
【００３９】
本実施の形態による情報発信装置２００は、乗り物、建物の内部または外部、野外、などにインフラとして設置され、特定のエリア内にある携帯電話端末１００に対して所定の情報を提供する用途に利用できる。所定の情報とは、特に限定するものではないが、携帯電話端末１００の機能制限に関する情報、その位置に関する規格化された位置情報、等である。これらの情報に基づいて、携帯電話端末１００の自動モード設定、現在位置の正確な判断、および、地図アプリケーションでの利用等が可能となる。位置情報の種類としては、全地球測位システム（ＧＰＳ）で得られるような経度・緯度情報、乗り物情報（バス路線名、電車名、航空機路線名、駅、停留所、空港、駅・停留所間情報（○駅から○駅の間等））、建物情報（店舗、店舗内部の正確な位置、何階、何売り場、映画館、会議室等）などを含みうる。
【００４０】
携帯電話端末の自動モード設定によれば、公共交通機関利用中、会議中、音楽や映画の鑑賞中などに、ユーザが操作することなく自動的に所定の機能（例えば通話機能や着信音発生機能）を抑止することができる。
【００４１】
また、正確な位置情報を提供することにより、携帯電話端末のユーザは、自身が現在位置を把握したり、他者が当該携帯電話端末の現在位置を確認（迷子検索）したりすることが可能となる。
【００４２】
本発明では、上述した第１および第２の媒体振動信号発生部２０３，２０４により、いずれも可聴周波数より高い周波数であるが、周波数の異なる第１および第２の周波数の媒体振動信号を発生し、両信号を組み合わせてデータの転送（発信）を行う。
【００４３】
図３に、第１および第２の周波数をそれぞれ６０ＫＨｚ、３０ＫＨｚとした場合のデータ転送フォーマットの例を示す。第１および第２の媒体振動信号発生部２０３，２０４は、データを転送する際、両周波数よりも低い周波数の一定周期で間欠的に発信、停止を繰り返す。この「低い周波数」を信号周波数とする。また、第１および第２の媒体振動信号発生部２０３，２０４の信号周波数の信号は、互いに同期しているものとする。
【００４４】
本例では、第１の（高周波）媒体振動信号は、データ転送用のクロックの役割をし、第２の（低周波）媒体振動信号はデータの役割をする。
【００４５】
図３に示したように、データ転送開始時には、振動ＯＮを、比較的長い時間（ここでは５秒間以上）継続して送信する。それが終了してから所定時間（ここでは１秒）、振動ＯＦＦとした後に、データ送信を開始する。データ転送終了時は、開始時と同じく、振動ＯＮを、比較的長い時間（５秒間以上）継続して送信する。
【００４６】
データ送信中は、間欠的なクロック信号の発信（振動ＯＮ）毎に１ビットのデータを定める。このビットが論理１か論理０かは、時間的に対応する第２の（低周波）媒体振動信号が振動ＯＮか振動ＯＦＦかによって定める。具体的には、高周波、低周波とも発信している場合、すなわち、クロック信号が振動ＯＮのタイミングに応じてデータ信号が振動ＯＮとなっているとき、そのビットは論理１（Ｈｉｇｈ）とする。反対に、クロック信号が振動ＯＮのタイミングに応じてデータ信号が振動ＯＮとなっていないとき、そのビットは論理０（Ｌｏｗ）とする。
【００４７】
図の例では、９ビットを１ブロックとする。その１ビット目はスタートビットで、常にゼロ残りの８ビットは、１バイトのデータをあらわす。
【００４８】
このように第１および第２の媒体振動信号発生部２０３，２０４の一方の媒体振動信号を間欠的に発信させたクロック信号とし、他方の媒体振動信号をクロック信号に同期したデータとしてやはり間欠的に発信することにより、比較的ノイズに強い信頼性の高いデータの伝送を実現することが可能となる。
【００４９】
なお、第１および第２の媒体振動信号を伝達する伝達媒体が異なる場合、例えば、第１の伝達媒体が空気、第２の伝達媒体がテーブル（鉄）である場合、両伝達媒体の伝搬速度が異なる（第２の伝達媒体の伝搬速度の方が速い）。この伝搬速度の差により、両媒体振動信号が目的物（携帯電話端末）に到達する所要時間が異なることになる。この問題に対処するため、速度の速い方の媒体振動信号の発生タイミングを両所要時間の差に相当する所定時間だけ遅延させて発生する。また、この所要時間は同エリア内でもその目的物の位置によって異なる。したがって、所定時間に対応する遅延時間（Ｔ２）は第１および第２の媒体振動信号発生部２０３，２０４のそれぞれの設置位置から対象物までの最大距離と最小距離から求まる平均伝達距離の差に基づいて決定する。また、これにより決まる遅延時間（Ｔ２）が信号周期（Ｔ１）の半分より小さくなるように、信号周期（Ｔ１）を定める。信号周期（Ｔ１）は１ビットに対応するクロック信号のＯＮ時間の２倍の時間に対応する。図３から分かるように、遅延時間（Ｔ２）が信号周期（Ｔ１）の半分より小さければ、時間軸上でクロック信号のＯＮ時間とデータ信号のＯＮ時間との間でＯＮ時間の半分以上の重畳が保証される。
【００５０】
ここで、図３に示した例のデータ転送フォーマットを整理すると次のとおりである。
第１の媒体振動信号：  ６０ｋＨｚ：  周期ｆ１：０．０１６ｍｓ
第１の媒体振動信号のＯＮ時間のサンプル数：  ２００周期
１クロック周期：  ０．０１６×２００×２＝６．６ｍｓ
第２の媒体振動信号：  ３０ｋＨｚ：  周期ｆ２：０．０３３ｍｓ
第２の媒体振動信号のＯＮ時間のサンプル数：  １００周期
信号周期Ｔ１：  １データビット周期：  ０．０３３×１００×２＝６．６ｍｓ
データレート（Ｄａｔａ  ｒａｔｅ）＝１／６．６＝１５１ｂｐｓ
遅延時間（Ｓｙｎｃ  Ｄｅｌａｙ）：Ｔ２
【００５１】
空気（３４０ｍ／ｓ）を伝達媒体として第１の媒体振動信号（６０ｋＨｚ）を伝達し、鉄（５０００ｍ／ｓ）を伝達媒体として第２の媒体振動信号（３０ｋＨｚ）を伝達する場合、伝搬速度が違っても、発信元で、伝搬速度の速い媒体に信号を発信するときに遅延を加えることで、受信側でクロック信号とデータ信号との間でＴ１／２以上のずれが発生しないようにすることができる。
【００５２】
ここで、Ｔ１，Ｔ２を発信元が調整する方法について簡単に説明する。今、使用する変数を
Ｖ１：第１伝達媒体の伝搬速度［ｍ／ｓ］
Ｖ２：第２伝達媒体の伝搬速度［ｍ／ｓ］
Ｄ１ｍｅａｎ：第１媒体振動信号発生部から携帯電話端末までの平均伝達距離［ｍ］
Ｄ２ｍｅａｎ：第２媒体振動信号発生部から携帯電話端末までの平均伝達距離［ｍ］
Ｎ：第２の媒体振動信号のＯＮ時間のサンプル数（Sample wave number）
とすると、
Ｔ１／２＞Ｔ２
ｆ１＞ｆ２
の関係があり、時間Ｔ１，Ｔ２は次式で表せる。
Ｔ１＝１／ｆ２×Ｎ×２
Ｔ２＝（Ｄ１ｍｅａｎ／Ｖ１）−（Ｄ２ｍｅａｎ／Ｖ２）
また、これらの式から、次式の関係が得られる。
Ｎ＞ｆ２（（Ｄ１ｍｅａｎ／Ｖ１）−（Ｄ２ｍｅａｎ／Ｖ２））
【００５３】
なお、上記のようなデータ転送フォーマットの具体的な仕様はあくまで一例であり、本発明はこれに限定されるものではない。
【００５４】
図４により、第１の伝達媒体４３を空気とし、第２の伝達媒体４４を空気以外の固体の媒体（例えばテーブル）とした場合のさらなる特徴について説明する。ここでは、例えば、会議室の天井に第１媒体振動信号発生部２０３を設置するとともに、テーブル（または机）の内部または下部等に第２媒体振動信号発生部２０４を設定する。図中、Ｄ２ｍｉｎは図示しないが、第２媒体振動信号発生部２０４からその真上のテーブル表面位置までの距離がＤ２ｍｉｎに相当している。
【００５５】
テーブルを伝達媒体とした場合、テーブルを伝達する振動は携帯電話端末（受信装置）をテーブルに接触させたとき、典型的には携帯電話端末をテーブルの上に載置したとき、携帯電話端末の筐体に伝わる振動をマイクロフォンで拾うことができる。第２の伝達媒体を介して得られる第２の媒体振動信号の受信強度は、携帯電話端末がテーブルに接しているときは大きいが、携帯電話端末を持ち上げてテーブルから離した場合には極端に低下する。そのため、非接触状態では有効なデータ信号が得られず、データを正常に再生することができなくなる。
【００５６】
なお、第１と第２の伝達媒体のいずれでクロック信号を伝達し、いずれでデータ信号を伝達するかは任意である。
【００５７】
このような構成において、机に携帯電話端末を置いたときのみ、その動作モードを特定の動作モード（例えば、通話禁止モード）にすることができる。すなわち、携帯電話端末をテーブル上に載置している間は着信音の鳴動やバイブレータによる振動等の着信通知が抑止される（ハンズフリーの通話も禁止される）ように、周期的に当該動作モードの設定指示制御情報が発行される。例えば、携帯電話端末はそのような動作モードへの移行を指示されたとき、あらかじめ定められた所定の時間だけその動作モードへ移行し、その後、自動的に元の動作モードに戻る。この「所定の時間」は、当該設定指示制御信号が繰り返して発行される周期と同じかそれ以上とする。なお、通話禁止モードでも表示部に着信表示を行うことは妨げない。したがって、ユーザは着信表示から電話や電子メールの着信を認知し、それへの応答が必要と判断したときには、携帯電話端末を取り上げれば、前記所定の時間の経過後に自動的に、または、ユーザによる手動での動作モードの切り替えにより直ちに、元の動作モードに戻る。
【００５８】
空気以外の伝達媒体を利用する場合には携帯電話端末をその伝達媒体に接触させなければ正しいデータの伝達ができない。したがって、仮に送信データに機密情報が含まれていたとしても、当該伝達媒体から離れた外部からの盗聴が不可能となる。
【００５９】
また、テーブル（構造物）に対する端末の接触の姿勢を検出する手段を設ければ、データを再生する手段は、前記第１および第２の周波数の媒体振動信号の両方が検出できたとしても前記姿勢の如何によってデータの再生を抑止（または、再生されたデータの利用を抑止）することができる。これにより、例えば携帯電話端末を裏向きにテーブル上に載置した場合には、上記のとおりデータの再生を抑止、または、再生されたデータの利用を抑止し、携帯電話端末を表向きにテーブル上に載置した場合には当該抑止を行わないようにすることができる。前記姿勢を検出する手段は例えば加速度センサを利用することができる。構造物が、テーブルのように、その上に受信装置を載置することができる平面部を有するものであれば、姿勢を検出する手段として明るさを検出する光センサを利用することもできる。この光センサが上記平面部に面して載置されている場合には光が検出されず、平面部に面せずに載置されている場合には光が検出される。したがって、携帯電話端末の姿勢（載置の向き）に応じて上記抑止の要否をユーザが選択することができる。
【００６０】
次に、上記データ転送フォーマットで転送する情報のフォーマットの例を示す。ここでは、データはＸＭＬで記述し、そのタグの内容をＤＴＤ（Document Type Definition）で定義する。
【００６１】
図５に、ＤＴＤおよびＸＭＬデータの具体例を示す。これは、現在位置の情報を緯度・経度やテキストデータを提示する場合のＤＴＤ５１の例、および、このＤＴＤに対応するＸＭＬデータ５２の例を示している。このＸＭＬデータ５２は、ＤＴＤ５１で定義されたタグに対応する項目の具体的なデータ（その場所の構造物の識別子、名称、住所、場所名等）を記述したものである。
【００６２】
このような情報フォーマットによれば、拡張性が高く、任意所望のデータを提示することができる。当然ながら、受信側の携帯電話端末ではこのような情報フォーマットのデータを解読する機能を有するものとする。但し、本発明の上記のようなフォーマットに限定されるものではない。
【００６３】
以上、本発明の好適な実施の形態について説明したが、上記で言及した以外にも種々の変形、変更を行うことが可能である。例えば、情報発信装置から提供する情報は携帯電話端末の機能制限情報（自動モード設定情報）、位置情報を挙げたが、これらに限るものではない。受信装置として携帯電話端末を挙げたが、携帯電話端末に限るものではない。
【符号の説明】
【００６４】
１００，１００ａ，１００ｂ，１００ｃ…受信装置（携帯電話端末）、１０１…制御部、１０２…通信部、１０３…アンテナ、１０４…表示部、１０５…操作部、１０６…記憶部、１０７…音声処理部、１０８…スピーカ、１０９…マイクロフォン、１１０…媒体振動通信処理部、１１１…媒体振動検出部、２００…情報発信装置、２０１…制御部、２０２…記憶部、２０３…第１媒体振動信号発生部、２０４…第２媒体振動信号発生部
【図１】
2010166129.tif 000003
【図２】
2010166129.tif 000004
【図３】
2010166129.tif 000005
【図４】
2010166129.tif 000006
【図５】
2010166129.tif 000007